(57)【要約】【課題】  撮影者が画像表示装置に表示された被写体像を確認しながら、通常の撮影方向とは異なる方向の被写体を撮影することができるカメラを提供すること。【解決手段】  撮影レンズを保護するスライドカバーを有するカメラにおいて、前記スライドカバーは、前記撮影レンズを保護する位置と、被写体からの光を前記撮影レンズに入射する第１位置と、前記被写体とは異なる被写体からの光を前記撮影レンズに入射する第２位置の何れかの位置に設定可能であるカメラ。【選択図】  図１
2006162973.tif 000002
【特許請求の範囲】
【請求項１】
撮影レンズを保護するスライドカバーを有するカメラにおいて、
前記スライドカバーは、前記撮影レンズを保護する位置と、被写体からの光を前記撮影レンズに入射する第１位置と、前記被写体とは異なる被写体からの光を前記撮影レンズに入射する第２位置のいずれかの位置に設定可能であることを特徴とするカメラ。
【請求項２】
前記スライドカバーは少なくとも１つのミラー部材を有し、
前記第１位置または前記第２位置の何れかの位置に設定された際、前記ミラー部材を介して前記撮影レンズに前記被写体からの光が導かれることを特徴とする請求項１に記載のカメラ。
【請求項３】
前記ミラー部材は、前記スライドカバーに回動可能に配設されていることを特徴とする請求項２に記載のカメラ。
【請求項４】
前記ミラー部材の少なくとも１つは、前記スライドカバーに着脱可能であることを特徴とする請求項２に記載のカメラ。
【請求項５】
前記ミラー部材を介して前記撮影レンズに前記被写体からの光が導かれる際、前記撮影レンズの光軸中に少なくとも１つの光学部材が配置可能であることを特徴とする請求項１から４の何れか１項に記載のカメラ。
【請求項６】
前記光学部材の少なくとも１つはレンズ要素であり、前記レンズ要素で前記撮影レンズの撮影画角が変更可能であることを特徴とする請求項５に記載のカメラ。
【発明の詳細な説明】
【技術分野】
【０００１】
本発明は、デジタルカメラに関する。
【背景技術】
【０００２】
従来、デジタルカメラは、デジタルカメラ本体の背面に配設された画像表示装置（ＬＣＤ画面）を見ながら、撮影レンズに入射している被写体像を決めることが行われている。特に、小型の携帯機器等では小型のカメラ部分にミラーを配置し、このミラーを切り替えることによって異なる方向の画像を撮影することが提案されている（例えば、特許文献１参照。）。
【特許文献１】特開平１１−１１００７８号公報
【発明の開示】
【発明が解決しようとする課題】
【０００３】
しかしながら、より大型のデジタルカメラでは、大型の撮影レンズを介して被写体像を撮影するため、小型の携帯機器等のように撮影方向を切り替えることが困難である。このため、例えば自分を含めた後方の被写体を撮影する時は、撮影レンズを自分に向ける必要があるが、この時デジタルカメラ本体の背面に配設されている画像表示装置を見ながら撮影範囲を決めると言うことができなかった。
【０００４】
本発明は、上記課題に鑑みて行われたものであり、撮影者が画像表示装置に表示された被写体像を視認しながら、通常の撮影方向（前方方向）とは異なる方向の被写体を撮影することができるカメラを提供することを目的としている。
【課題を解決するための手段】
【０００５】
上記目的を達成するために、本発明は、撮影レンズを保護するスライドカバーを有するカメラにおいて、前記スライドカバーは、前記撮影レンズを保護する位置と、被写体からの光を前記撮影レンズに入射する第１位置と、前記被写体とは異なる被写体からの光を前記撮影レンズに入射する第２位置のいずれかの位置に設定可能であることを特徴とするカメラを提供する。
【０００６】
また、本発明にかかるカメラでは、前記スライドカバーは少なくとも１つのミラー部材を有し、前記第１位置または前記第２位置の何れかの位置に設定された際、前記ミラー部材を介して前記撮影レンズに前記被写体からの光が導かれることが好ましい。
【０００７】
また、本発明にかかるカメラでは、前記ミラー部材は、前記スライドカバーに回動可能に配設されていることが好ましい。
【０００８】
また、本発明にかかるカメラでは、前記ミラー部材の少なくとも１つは、前記スライドカバーに着脱可能であることが好ましい。
【０００９】
また、本発明にかかるカメラでは、前記ミラー部材を介して前記撮影レンズに前記被写体からの光が導かれる際、前記撮影レンズの光軸中に少なくとも１つの光学部材が配置可能であることが好ましい。
【００１０】
また、本発明にかかるカメラでは、前記光学部材の少なくとも１つはレンズ要素であり、前記レンズ要素で前記撮影レンズの撮影画角が変更可能であることが好ましい。
【発明の効果】
【００１１】
本発明によれば、撮影者が画像表示装置に表示された被写体像を視認しながら、通常の撮影方向とは異なる方向の被写体を撮影することができるカメラを提供することができる。
【発明を実施するための最良の形態】
【００１２】
以下、本発明の一実施の形態に関し図面を参照しつつ説明する。
【００１３】
（第１実施の形態）
図１は、本発明の実施の形態にかかるカメラの正面図であり、撮影レンズの前面がスライドカバーで保護されている状態（非撮影状態）を示す。図２は、図１のＸ−Ｘ線に沿った断面図である。図３は、Ｘ−Ｘ線に沿った断面図であり、カメラの前方の被写体を撮影する状態（第１位置）を示す。図４は、Ｘ−Ｘ線に沿った断面図であり、カメラの後方の被写体を撮影する状態（第２位置）を示す。
【００１４】
図１において、カメラ１００は、スラードカバー３が撮影レンズ系１を保護する状態である非撮影状態を示している。スライドカバー３は、カメラ本体５の上部と下部に設けられているスライドレール７、７にスライド可能に取付られている。スライドレール７、７には、撮影レンズ系１を保護する状態である非撮影状態にスライドカバー３を保持する第１クリップ部７ａと、図３に示すように撮影レンズ系１の前方を解放して、カメラ１００の前方にある不図示の被写体を撮影する状態である第１位置にスライドカバー３を保持する第２クリップ部７ｂと、図４に示すようにカメラ１００の後方にある不図示の被写体（撮影者を含む）を撮影可能にする状態である第２位置にスライドカバー３を保持する第３クリップ部７ｃがそれぞれ設けられている。これら三つのクリップ部７ａ、７ｂ、及び７ｃにスライドカバー３の左側（カメラ１００に前面に向かって左側）の上下端部がクリップ止めされることによって、スライドカバー３をそれぞれの位置に維持できるように構成されている。また、カメラ１００の正面に向かって左上部には、レリーズ９が配設されている。
【００１５】
撮影レンズ系１の後部には、撮影レンズ系１が結像した被写体像を撮像する撮像素子（例えば、ＣＣＤ等）１１が回路基板１３上に配設されている。また、回路基板１３の撮像素子１１が配設されている面と反対の面には撮像素子１１で撮像した画像を表示する画像表示装置（例えば、ＬＣＤ等）１５が配設されている。そして、画像表示装置１５は、カメラ本体５の背面部に撮影者によって観察可能に支持されている。
【００１６】
スライドカバー３は、スライドレール７、７にスライド可能に取付けられたスライドカバー本体３ａと、図４に示す第２位置にスライドカバー３がセットされた時、撮影レンズ系１に入射する被写体からの光路を変更する第１のミラー部１７ａを有する第１の可動部材１７と、第２のミラー部１９ａを有する第２の可動部材１９が設けられて構成されている。第１の可動部材１７と第２の可動部材１９は、それぞれひんじ部１７ｂ、１９ｂを介してスライドカバー本体３ａに回動可能に取付けられている。
【００１７】
図１、図２に示すように、カメラ１００を使わない時には、スライドカバー３は撮影レンズ系１を保護する非撮影状態にセットされる。この時、スライドカバー３は第１クリップ部７ａでクリップ止めされて簡単にずれないように構成されている。
【００１８】
また、図３に示すカメラ１００の前方にある被写体を撮影する通常撮影状態である第１位置では、スライドカバー３は第１及び第２の可動部材１７、１９を含むスライドカバー本体３ａを第２クリップ部７ｂ（図１参照）まで移動して撮影レンズ系１の前方を解放状態にする。カメラ１００の正面の前方に位置する被写体からの光は、撮影レンズ系１で撮像素子１１に結像され、撮像された被写体像は画像表示装置１５で視認される。撮影者は、画像表示装置１５に表示された被写体像を見て所望の画像の時にレリーズ９（図１参照）を押して画像を不図示のメモリに記録することで撮影が完了する。なお、スライドカバー３を図２の非撮影状態から図３の通常撮影状態にセットする時に、カメラ１００の電源がＯＮとなるように構成されている。
【００１９】
また、図４に示すカメラ１００の後方（撮影者を含む）にある被写体を撮影する時の状態である第２位置では、スライドカバー３は図４中の右方向にスライドされ第３のクリップ部７ｃ（図１参照）でクリップ止めされる。さらに、第１の可動部材１７が僅かに引き出された後、ひんじ部１７ｂを軸として回動され第１のミラー部１７ａが光軸Ｏに対して４５度傾けて配置される。また、第２の可動部材１９が僅かに引き出された後、ひんじ部１９ｂを軸として回動され第２のミラー部１９ａが光軸Ｏに対して４５度傾けて配置される。
【００２０】
この状態では、第２のミラー部１９ａは、カメラ本体５の右側面よりさらに右側に飛び出して位置し、カメラ１００の後方の被写体からの光（撮影者側からの光）を反射して光路を９０度偏向する。第２のミラー１９ａで偏向された被写体からの光は第１のミラー１７ａに入射し９０度偏向されて撮影レンズ系１に入射し撮像素子１１に結像される。撮像素子１１で撮像された被写体像は画像表示装置１５に表示され撮影者に視認され、所望の画像の時に撮影者がレリーズ９を押して被写体像を撮影しメモリに記録する。二つのミラーで二回反射されるため被写体像が左右反転することなく撮影される。
【００２１】
本実施の形態では、スライドカバー３に配設されている第１のミラー１７ａと第２のミラー１９ａを組み合わせて用いることによって、撮影者は画像表示装置１５を視認しながら撮影者自身を含む後方の被写体を撮影することが可能になる（自分撮りが可能になる）。また、スライドカバー３をカメラ１００の前面でスライドさせるだけで、非撮影状態、通常撮影状態（第１位置）、後方撮影状態（第２位置）の三つのポジションを設定することができる。
【００２２】
なお、第１及び第２の可動部材１７、１９を光軸中に設定する手段は、手動のみならず自動で行っても良い。また、第２の可動部材１９を着脱可能に構成することによって、カメラ１００の後方のみならず右側方の被写体も撮影することが可能になる。右側方の被写体を撮影する場合にはミラーが一枚（第１のミラー１７ａ）のみであるため画像の左右が反転するので、画像表示装置１５に表示する画像の左右を反転するように撮影者が指示できるようにすれば良い。
【００２３】
なお、第１及び第２の可動部材１７、１９のスライドカバー本体３ａへの回動可能な支持方法は、ひんじを用いた方法以外にも種々の方法を採用することが可能であり、いずれの方法を採用するかは適宜設計で決めれば良い。
【００２４】
（変形例）
図５は、本発明のカメラにかかる実施の形態の変形例を示す。上記実施の形態と同様の構成には同じ符号を付し説明を省略する。
【００２５】
図５は、スライドカバー３を後方撮影状態である第２位置にセットする時、後方の被写体からの光が第２のミラー１９ａに入射する前方に光学部材２０１を配置して被写体への各種光学的な効果を付与する変形例を示している。
【００２６】
図５において、カメラ１００の右側面に光学部材２０１としてレンズ成分を配設した補助部材２００を不図示の取付手段を介して着脱可能に構成している。この様に構成することで、スライドカバー３が図４に示したような単に光路を変更することのみならず、後方の被写体に対して撮影レンズ系１の撮影画角を変更することが可能になる。なお、光学部材２０１はレンズ成分（例えば、魚眼レンズ等）のみならず各種のフィルタなどをセットすることも可能である。
【００２７】
なお、本実施の形態では、カメラ本体５の右側部分を大きく形成して、カメラ本体５に開閉可能な貫通穴を設け、カメラ１００の後方の被写体からの光がこの貫通穴を通過するようにしても良いし、この貫通穴に光学部材２０１を配設するように構成しても良い。
【００２８】
なお、上述の実施の形態は例に過ぎず、上述の構成や形状に限定されるものではなく、本発明の範囲内において適宜修正、変更が可能である。
【図面の簡単な説明】
【００２９】
【図１】本発明の実施の形態にかかるカメラの正面図であり、撮影レンズがカバーされている状態（非撮影状態）を示す。
【図２】図１のＸ−Ｘ線に沿った断面図であり、撮影レンズがカバーされている状態（非撮影状態）を示す。
【図３】Ｘ−Ｘ線に沿った断面図であり、カメラの前方の被写体を撮影する状態である第１位置を示す。
【図４】Ｘ−Ｘ線に沿った断面図であり、カメラの後方の被写体を撮影する状態である第２位置を示す。
【図５】図５は、本発明のカメラにかかる実施の形態の変形例を示す。
【符号の説明】
【００３０】
１      撮影レンズ系
３      スライドカバー
５      カメラ本体
７      スライドレール
９      レリーズ
１１    撮像素子
１３    回路基板
１５    画像表示装置
１７    第１の可動部材
１９    第２の可動部材
１００  カメラ
２００  補助部材
２０１  光学部材
Ｏ      光軸
【図１】
2006162973.tif 000003
【図２】
2006162973.tif 000004
【図３】
2006162973.tif 000005
【図４】
2006162973.tif 000006
【図５】
2006162973.tif 000007